(57)【要約】【課題】本発明は、熱交換装置とそれを用いた発熱体収納装置に関するもので、本体ケースと装飾カバーを一体化させた製品とすることで、装飾カバーにおける剛性を十分に保ちながら、構造の簡素化ができ、さらに軽量化させることで、組立て作業やメンテナンス作業の容易化を図ることができることを目的とする。【解決手段】本体ケース７には、本体ケース７の上下左右面と前面との５面を覆う装飾カバー１５を有し、本体ケース７と装飾カバー１５を接合するために、本体ケース７の外周部に、張り出し長さの異なる左右非対称のフランジ１６を設けたものである。【選択図】図２
2010255876.tif 000002
【特許請求の範囲】
【請求項１】
送風機と熱交換器を内部に有した本体ケースと、前記本体ケースの上下左右面と前面との５面を覆う装飾カバーを有し、前記本体ケースの外周部に、左右の張り出し長さが異なり、前記装飾カバーを接合する左右非対称のフランジを設けたことを特徴とする熱交換装置。
【請求項２】
前記フランジの左右を前方に４５度傾斜させた構成の請求項１記載の熱交換装置。
【請求項３】
前記フランジの外周に前記装飾カバーと接合するためのねじ止め穴を設け、前記装飾カバーには凹形状下穴にかしめナットを取付けた請求項１または２記載の熱交換装置。
【請求項４】
前記本体ケースと前記装飾カバーの上下空間にコの字のガイドレール形状をした隙間充填部材を配したことを特徴とする請求項１記載の熱交換装置。
【請求項５】
前記隙間充填部材の下部にドレン水排水孔を設けたことを特徴とする請求項４に記載の熱交換装置。
【請求項６】
前記本体ケースの上下部と前記装飾カバーの間に、前記本体ケースの左右側面と接する立上げ部を有する吸込ルーバー、および吹出ルーバーを装飾カバーに設けた請求項１記載の熱交換装置。
【請求項７】
前記吸込ルーバーと前記吹出ルーバーの間に、コの字形状をした発泡断熱材を配した請求項１記載の熱交換装置。
【請求項８】
前記本体ケースのフランジ上部外周に、吊り用部材を設けた請求項１記載の熱交換装置。
【請求項９】
前記本体ケースと前記装飾カバーが近接した方向の装飾カバーの上下内面に、本体ケースの上下面に接するヒンジ穴を有した固定部材を設けた請求項１記載の熱交換装置。      
【請求項１０】
請求項１から９いずれかに記載の熱交換装置を搭載した発熱体収納装置。
【発明の詳細な説明】
【技術分野】
【０００１】
本発明は、熱交換装置とそれを用いた発熱体収納装置に関するものである。
【背景技術】
【０００２】
例えば、携帯電話の基地局は、数十アンペア以上の電流が流れることから、ある点では発熱体とも表現される。つまり、冷却をすることがその動作を安定化させるためには極めて重要なものとなる。このような携帯電話の基地局はその冷却を行う為に次のような構成をとっている。（図９参照）。
【０００３】
すなわち、図９に示すように、発熱体となる送・受信機を収納したキャビネットと、このキャビネットの開口部に装着された熱交換装置１０１とを備えた構成となっていた。そして、熱交換装置１０１の構造としては、外気用の外気吸込口１０６と外気吹出口１０８およびキャビネット内用の内気吸込口１０２および内気吐出口（図示せず）を有する本体ケース１１１と、この本体ケース１１１内に設けられた外気用の外気側ファン１０３Ｂおよびキャビネット内用の内気側ファン１０３Ａと、前記本体ケース１１１内において室外空気とキャビネット内空気との熱交換を行う熱交換素子１０４とを備えた構成となっていた。
【０００４】
図示しないが、本体ケース１１１の外気吸込口１０６が設けられた前面側には、雨水などが浸入しないよう、ルーバーが備えられている。キャビネット側の開口部は、ドアである。このドアには、熱交換装置１０１の前面（外気吸込口１０６を設けた面）を覆うように、パンチング孔を用いたカバーが設けられている。
【先行技術文献】
【特許文献】
【０００５】
【特許文献１】特開２０００−１６１８７５号公報
【発明の概要】
【発明が解決しようとする課題】
【０００６】
このような従来の熱交換装置においては、本体ケースと装飾カバーは、製造や輸送、設置時において個別製品としての扱いが多く、装飾カバー単体として十分な剛性が必要とされる。そのため構成部品が多く、重量も相当大きくなり、生産性やメンテナンス作業性が著しく劣るという課題を有していた。
【０００７】
そこで、本発明は、本体ケースと装飾カバーを一体化させた製品とすることで、装飾カバーにおける剛性を十分に保ちながら、構造の簡素化ができ、さらに軽量化させることで、組立て作業やメンテナンス作業の容易化を図ることができることを目的とする。
【課題を解決するための手段】
【０００８】
そして、この目的を達成するために、本発明は、送風機と熱交換器を内部に有した本体ケースの外周部に、前記本体ケースの上下左右面と前面との５面を覆い、複数の開口を有した装飾カバーを接合する張り出し長さの異なる左右非対称のフランジを設けたことを特徴としたものであり、これにより所期の目的を達成するものである。
【発明の効果】
【０００９】
本発明によれば、送風機と熱交換器を内部に有した本体ケースの外周部に、前記本体ケースの上下左右面と前面との５面を覆い、複数の開口を有した装飾カバーを接合する張り出し長さの異なる左右非対称のフランジを有したので、本体ケースと装飾カバーを接合させることで、製造や輸送、設置時において一体製品としての扱いが可能となり、作業や荷扱いが簡素化できるという効果を得ることができる。
【図面の簡単な説明】
【００１０】
【図１】本発明の実施形態の基地局設置例を示す斜視図
【図２】本発明の実施の形態１の熱交換型冷却装置の（ａ）斜視図、（ｂ）断面図
【図３】本発明の実施の形態１の熱交換型冷却装置の天面図
【図４】本発明の実施の形態１の熱交換型冷却装置のフランジ外周部詳細図
【図５】本発明の実施の形態２の熱交換型冷却装置の隙間充填部材配置図
【図６】本発明の実施の形態３の熱交換型冷却装置の斜視図
【図７】本発明の実施の形態４の熱交換型冷却装置の吊り部断面図
【図８】本発明の実施の形態５の熱交換型冷却装置のヒンジ部斜視図
【図９】従来の発熱体収容箱冷却装置構造図
【発明を実施するための形態】
【００１１】
本発明の請求項１記載の熱交換装置は、送風機と熱交換器を内部に有した本体ケースと、前記本体ケースの上下左右面と前面との５面を覆う装飾カバーを有し、前記本体ケースの外周部に、前記装飾カバーを接合する張り出し長さの異なる左右非対称のフランジを設けたものであり、本体ケースにフランジを設け、本体ケースと装飾カバーを接合させることで、製造や輸送、設置時において一体製品としての扱いが可能となり、作業や荷扱いが簡素化できるという効果を奏する。
【００１２】
また、本体ケースの張り出し長さの異なる左右非対称のフランジに装飾カバーを接続することで、本体ケースと装飾カバーの左右中心位置を偏心させる結果となり、前記両部品を一体化した時の重心吊り合いを保つことができる。さらに、装飾カバーの左右どちらか片側を本体ケースの側面に近接させることで、装飾カバーの縦方向における剛性を強化させることができるという効果を奏する。
【００１３】
また、請求項２記載の熱交換装置は、フランジの左右を前方に４５度傾斜させたものであり、装飾カバーとの有効接触面を大きくとれ、本体ケースと装飾カバーを接合した時に十分な剛性を得ることができるという効果を奏する。
【００１４】
また、請求項３記載の熱交換装置は、フランジの外周に前記装飾カバーと接合するためのねじ止め穴を設け、前記装飾カバーには凹形状下穴にかしめナットを取付けたものであり、本体ケースと装飾カバーをねじ止め構造とする。このような構成により、装飾カバーを本体ケースから取り外す必要が生じた場合には、固定ねじを外して、容易に本体ケースと装飾カバーを分離できる。また、装飾カバーのかしめナット取り付け下穴を凹形状にすることで、かしめナット頭部を窪ませることができ、本体ケースのフランジと装飾カバーを隙間なく密に接合することができるという効果を奏する。
【００１５】
また、請求項４記載の熱交換装置は、本体ケースと装飾カバーの上下空間にコの字のガイドレール形状をした隙間充填部材を配したものであり、本体ケースと装飾カバーの上下空間に隙間充填部材を配することで、装飾カバーの剛性を本体ケースに保持させ、運搬および設置状態における装飾カバーの強度不足を補うことができる。そのため、簡素な構成で装飾カバーを成形することができ、本体ケースと装飾カバーの組付けや分離が容易にができるという効果を奏する。
【００１６】
また、請求項５記載の熱交換装置は、隙間充填部材の下部にドレン水排水孔を設けたものであり、本体ケースから排出されたドレン水を容易に簡素な構造で、装飾カバー外部へ排出することができるという効果を奏する。
【００１７】
また、請求項６記載の熱交換装置は、本体ケースの外気吸気口および外気吐出口と装飾カバーの間に、本体ケースの左右側面と接する立上げ部を有する吸込ルーバーを装飾カバーに設けたものである。このような構成により、外からの雨などによる水分の浸入防止と、吸込み空気の流れを整流することができる。さらに、本体ケースと接するように左右側面に立上げ部を有するルーバーを装飾カバーに固定することで、本体ケースと装飾カバーを組み付けた時に、安定した固定構造を得ることができるという効果を奏する。
【００１８】
また、請求項７記載の熱交換装置は、前記吸込ルーバーと前記吹出ルーバーの間に、コの字形状をした発泡断熱材を配したものである。このような構成により、温度差のある吸込み空気と吹出し空気をの間を隔壁することができ、断熱性能を向上し、ショートサーキットを防止することができる。さらに、発泡断熱材をコの字形状とすることで、本体ケースと装飾カバーを組み付けた時に、安定した固定構造を得ることができるという効果を奏する。
【００１９】
また、請求項８記載の熱交換装置は、本体ケースのフランジ上部外周に、吊り用部材を設けたものである。この吊り用部材は、本体ケースと装飾カバーの補強手段を兼ね、配置構成が簡素で十分な強度を有し、輸送や設置時に、製品を容易に吊り上げる手段を得ることができるという効果を奏する。
【００２０】
また、請求項９記載の熱交換装置は、本体ケースと装飾カバーが近接した方向の装飾カバーの上下内面に、本体ケースの上下面に接するヒンジ穴を有した固定部材を設けたものである。製品を固定するヒンジ穴を有した部材を、コーナーに近接した本体ケースの上下面で保持することで、設置状態におけるヒンジ固定部に加わる製品荷重による強度不足を補うことができる。そのために簡素な構成でヒンジ固定部を成形することができるという効果を奏する。
【００２１】
以下、本発明の実施の形態について図面を参照しながら説明する。
【００２２】
（実施の形態１）
図１において、基地局２は、内部に携帯電話用の送・受信機４を収納した箱状のキャビネット３構造である。このような基地局２は、ビルディング１の屋上など様々な場所に設置され、キャビネット３の一つの側面には、キャビネット３のドア６に熱交換装置５が設けられている。
【００２３】
さらに、図２を用いて、熱交換装置５の概略構成を説明する。熱交換装置５は、本体ケース７に外気吸気口８と外気吐出口９およびキャビネット３内用の内気吸気口１０および内気吐出口１１を有する。本体ケース７内には、外気用の外気送風機１２およびキャビネット３内用の内気送風機１３と、外気空気とキャビネット３内の空気との熱交換を行う熱交換器１４とを備えている。熱交換器１４は、薄板の伝熱板を積層したものであり、その伝熱板間を交互に暖かい空気と冷たい空気を通すことによって、暖かい空気と冷たい空気間で熱交換を行うものである。
【００２４】
次に、本実施の形態における最も大きな特徴部分について説明する。
【００２５】
本体ケース７には、本体ケース７の上下左右面と前面との５面を覆う装飾カバー１５を有している。本体ケース７と装飾カバー１５を接合するために、本体ケース７の外周部に、張り出し長さの異なる左右非対称のフランジ１６を設けている。
【００２６】
このフランジ１６は、図３に示すように、前方（本体ケース前方１７）から向かって右側を大きく張り出した形状となっている。これにより、取り付け強度を必要とするキャビネット３との開閉装置６ａをフランジ１６の大きく張り出した領域に取り付けることができ、構成が簡単で、しかも限られた空間に有効的に配置することができる。
【００２７】
さらに詳細に説明すると、このフランジ１６は、図３に示すように、フランジ１６の左右を本体ケース前方１７に４５度傾斜させている。
【００２８】
そして図４に示すように、このフランジ１６の外周には、装飾カバー１５と接合するためのねじ止め穴１８を設け、装飾カバー１５には凹形状下穴１９にかしめナット２０が取付けられている。
【００２９】
さらに、このような構成によれば、本体ケース７の張り出し長さの異なる左右非対称のフランジ１６に装飾カバー１５を接続することで、本体ケース７と装飾カバー１５の左右中心位置を偏心させる結果となり、前記両部品を一体化した時の重心吊り合いを容易に保つことができる。従って、本体ケース７と装飾カバー１５を接合させることができ、製造や輸送、設置時において一体製品としての扱いが可能となり、作業や荷扱いが簡素化できる。さらに、装飾カバー１５の左右どちらか片側を本体ケース７の側面に近接させることで、装飾カバー１５の縦方向における剛性を強化させることができる。
【００３０】
（実施の形態２）
図５に示すように、本体ケース７と装飾カバー１５の上下空間にコの字のガイドレール形状をした上部隙間充填部材２１と下部隙間充填部材２２を配している。
【００３１】
上記構成により、装飾カバー１５の剛性を本体ケース７に保持させ、運搬および設置状態における装飾カバー１５の強度不足を補うことができ、簡素な構成で装飾カバー１５を成形することができ、本体ケース７と装飾カバー１５の組付けや分離が容易にできることになる。
【００３２】
また、下部隙間充填部材２２にドレン水排水孔２３を設けることにより、本体ケース７から排出されたドレン水を容易に簡素な構造で、装飾カバー外部へ排出することができる。
【００３３】
（実施の形態３）
図６は、本体ケース７の外気吸気口８および外気吐出口９と装飾カバー１５の間に、本体ケース７の左右側面と接する立上げ部２４ａ，２５ａを有する吸込ルーバー２４と吹出ルーバー２５を装飾カバー１５に設けた図である。
【００３４】
さらに、吸込ルーバー２４と吹出ルーバー２５の間には、本体ケース７の前面、側面をわたるようにコの字形状をした発泡断熱材２６を配している。
【００３５】
上記構成により、本体ケース７と装飾カバー１５の間に、吸込ルーバー２４と吹出ルーバー２５を設けることで、外からの雨などによる水分の浸入防止と、吸込み空気の流れを整流することができる。さらに、立上げ部２４ａ、２５ａが、本体ケース７と接することによって、本体ケース７と装飾カバー１５を組み付けた時に、安定した固定構造を得ることができる。
【００３６】
また、コの字形状をした発泡断熱材２６は、吸込ルーバー２４と吹出ルーバー２５の間を隔壁し、温度差のある吸込み空気と吹出し空気が混合しないようにする。このため、断熱性能の向上が図れ、かつ、ショートサーキットの防止、すなわち、吹出した風をそのままの吸い込んでしまうことがないようにして、冷却能力を確保することになる。
【００３７】
（実施の形態４）
図７は、本体ケース７のフランジ１６の上部外周に、本体ケース７と装飾カバー１５の補強手段を兼ねた吊り用部材２７を設けた図である。吊り用部材２７は、Ｌ字状の金具で構成され、一方の面をフランジ１６に固定してある。他方の面には、ナットが固定されていて、装飾カバー１５とボルト接続できるようになっている。また、クレーンなどで吊る際には、装飾カバー１５を固定するボルトをはずし、アイボルトを装着することによって吊り作業ができることになる。
【００３８】
上記構成により、配置構成が簡素で十分な強度を有し、輸送や設置時に、製品を容易に吊り上げる手段を得ることができる。
【００３９】
（実施の形態５）
図８に示すように、短い張り出し長さのフランジ１６側、すなわち、本体ケース７と装飾カバー１５が近接した方向の装飾カバー１５の上下内面に、本体ケース７の上下面に接するヒンジ穴２８を有したヒンジ固定部材２９を設けている。
【００４０】
上記構成により、本体ケース７と装飾カバー１５を一体製品とした時に、一体製品の開閉を自在とすることで、キャビネット３内のメンテナンスを容易に行うことができる。
【００４１】
また、製品を固定するヒンジ穴２８を有したヒンジ固定部材２９を、コーナーに近接した本体ケース７の上下面で保持することで、ヒンジ穴２８に作用する支持荷重をヒンジ固定部材２９を介して、本体ケースの上下面で受けて、本体ケースと装飾カバーのコーナーの折曲縁に分散させることで、強固な取り付け構造となり、設置状態におけるヒンジ固定部材２９に加わる製品荷重による強度不足を補うことができる。そのために簡素な構成でヒンジ固定部を成形することができる。
【産業上の利用可能性】
【００４２】
本発明にかかる熱交換装置は、送風機と熱交換器を内部に有した本体ケースと、本体ケースの上下左右面と前面との５面を覆う装飾カバーを有し、本体ケースの外周部に、装飾カバーを接合する張り出し長さの異なる左右非対称のフランジを設けたものであり、本体ケースにフランジを設け、本体ケースと装飾カバーを接合させることで、製造や輸送、設置時において一体製品としての扱いが可能となり、作業や荷扱いが簡素化できる。従って、例えば、通信機器の基地局や、その他屋外設置機器における冷却設備としてきわめて有用なものとなる。
【符号の説明】
【００４３】
１      ビルディング
２      基地局
３      キャビネット
４      送・受信機
５      熱交換装置
６      ドア
６ａ    開閉装置
７      本体ケース
８      外気吸気口
９      外気吐出口
１０    内気吸気口
１１    内気吐出口
１２    外気送風機
１３    内気送風機
１４    熱交換器
１５    装飾カバー
１６    フランジ
１７    本体ケース前方
１８    ねじ止め穴
１９    凹形状下穴
２０    かしめナット
２１    上部隙間充填部材
２２    下部隙間充填部材
２３    ドレン水排水孔
２４    吸込ルーバー
２４ａ  立上げ部
２５    吹出ルーバー
２５ａ  立上げ部
２６    発泡断熱材
２７    吊り用部材
２８    ヒンジ穴
２９    ヒンジ固定部材
【図１】
2010255876.tif 000003
【図２】
2010255876.tif 000004
【図３】
2010255876.tif 000005
【図４】
2010255876.tif 000006
【図５】
2010255876.tif 000007
【図６】
2010255876.tif 000008
【図７】
2010255876.tif 000009
【図８】
2010255876.tif 000010
【図９】
2010255876.tif 000011